(57)【要約】      （修正有）【課題】有害鳥獣類を防除し、機能を追加することが可能な鳥獣威嚇用爆音機を提供する。【解決手段】電磁弁と点火プラグ４をコントローラ６で制御することで、一定量のガスを爆発筒１内に噴射し、点火、爆発させ、その爆発音により有害鳥獣を威嚇し退散せしめる。コントローラ６を構成するメイン基板に外部入力コネクタを設けると共に、当該外部入力コネクタと接続される端子部を備えた追加基板により機能の追加を可能とした。【選択図】図１
0003151117.tif 000002
【実用新案登録請求の範囲】
【請求項１】
電磁弁と点火プラグをコントローラで制御することで、一定量のガスを爆発筒内に噴射し点火させ、もってガスを爆発させ、その爆音により有害鳥獣を威嚇し退散せしめる鳥獣威嚇用爆音機において、コントローラを構成するメイン基板に外部入力コネクタ１２を設けると共に、当該外部入力コネクタ１２と接続される端子部を備えた追加基板により機能の追加を可能とした鳥獣威嚇用爆音機。
【請求項２】
メイン基板がタイマー回路１１を備える請求項１に記載の鳥獣威嚇用爆音機。
【請求項３】
メイン基板におけるタイマー回路１１が発振する信号の増幅装置を、追加基板に装備せしめた請求項２に記載の鳥獣威嚇用爆音機。
【請求項４】
追加基板が擬似ランダム信号発生回路を装備する請求項１乃至３いずれかに記載の鳥獣威嚇用爆音機。
【請求項５】
追加基板が赤外線センサー機能を装備する請求項１乃至４いずれかに記載の鳥獣威嚇用爆音機。
【考案の詳細な説明】
【技術分野】
【０００１】
本考案は有害鳥獣類を防除するために用いられる鳥獣威嚇用爆音機（以下、爆音機と略する）に関し、より詳しくは機能追加が可能な爆音機に関する。
【背景技術】
【０００２】
農耕地や果樹園等に有害鳥獣が侵入することを防止するため、爆音機が用いられることがある。
【０００３】
ここに爆音機とは、ＬＰガス等の可燃ガスを、電子コントローラ制御の下、爆発筒内で爆発させ爆音を発生させる装置をいう。この爆音により有害鳥獣を威嚇し退散せしめるのである。
【０００４】
係る爆音機に関する先行発明として、鳥獣を検知するためのセンサーを備えたもの（特開平３-１８７３３８号）、カセットボンベを使用することで移動性を高めたもの（特開２００４−２５４５８４号）等がある。
【０００５】
また、獣類の侵入を防ぐ等の目的で使用される電気柵に関し、特開２００６−２１７８２６号公報において昼間通電、夜間通電を切り替え可能な発明が提示されている。
【特許文献１】特開平３-１８７３３８号公報
【特許文献２】特開２００４−２５４５８４号公報
【特許文献３】特開２００６−２１７８２６号公報
【考案の開示】
【考案が解決しようとする課題】
【０００６】
１、  本考案の目的は、新たな機能を容易に追加することが可能な爆音機を提供することにある。より具体的には、下記に示すような従来品が一般的に備えている機能を有する爆音機であって、昨今問題になっている課題を解決する機能を容易に追加することが可能な爆音機を提供することにある。
【０００７】
２、  爆音機は有害鳥獣の防除に有用なものであるが、騒音が発生するため近隣住民への配慮が必要となる。そこで従来品は、受光素子（光センサー）で明るさ・暗さを感知して、自動的に夜明けから日没までのみ作動し、爆音を発生させるように工夫されている。
【０００８】
ところが、鳥獣には夜明け前の薄暗い時間帯から活動を開始するものも多く、係る鳥獣に対しては前記従来品では対応できない。そこで、本考案は夜明け前あるいは日没後であっても作動可能な機能を追加できる爆音機を提供することをその課題の一つとする。
【０００９】
３、  また、有害鳥獣を効果的に退散させるためには間歇的に爆音を発生させる必要があり、従来品は約３０秒〜１０分間隔で爆音が発生するように制御されている。
【００１０】
ところが、近時農地と住居との混在化が進み、騒音苦情が寄せられることも多い。他方で爆音を発生させる間隔をより長くしても十分効果が得られる場合もある。そこで、本発明は爆音を発生させる間隔を任意に設定できる機能を追加可能な爆音機を提供することをその課題の一つとする。
【００１１】
４、  従来品のように一定間隔で爆音を発生させていると、鳥獣は音慣れをしてしまい、防除効果が漸減しがちである。そこで本考案はかかる音慣れを可及的に防止できる機能を追加可能な爆音機を提供することをその課題の一つとする。
【００１２】
５、  鳥獣を退散させるために最も効果的な方法は、侵入時にのみ爆音を発生させることである。係る方法をとれば音慣れが生じにくいからである。そこで、本考案は鳥獣の侵入に合わせて爆音を発生する機能を追加可能な爆音機を、提供することをその課題の一つとする。
【課題を解決するための手段】
【００１３】
上記課題を解決するために本発明は以下のように構成した。  
【００１４】
請求項１：電磁弁と点火プラグをコントローラで制御することで、一定量のガスを爆              発筒内に噴射し点火させ、もってガスを爆発させ、その爆音により有害鳥獣            を威嚇し退散せしめる鳥獣威嚇用爆音機において、コントローラを構成する            メイン基板に外部入力コネクタを設けると共に、当該外部入力コネクタと接            続される端子部を備えた追加基板により機能の追加を可能とした 。
【００１５】
請求項２：請求項1記載の鳥獣威嚇用爆音機において、メイン基板にタイマー回路を装            備せしめた。
【００１６】
請求項３：請求項２記載の鳥獣威嚇用爆音機において、メイン基板におけるタイマー回            路が発振する信号の、増幅装置を追加基板に装備せしめた。
【００１７】
請求項４：請求項１乃至３いずれかに記載の鳥獣威嚇用爆音機において、追加基板に擬            似ランダム信号発生回路を装備せしめた。
【００１８】
請求項５：請求項１乃至４いずれかに記載の鳥獣威嚇用爆音機において、追加基板に赤            外線センサー機能を装備せしめた。
【考案の効果】
【００１９】
以下、上述のように構成される本考案がいかにして課題を解決する作用を有するかを詳述する。
【００２０】
請求項１記載の考案においては、メイン基板に設けた外部入力コネクタに、追加基板に設けた接続端子を差し込むという容易な手段で新たな機能を追加することができる。そして請求項２記載の考案においては、メイン基板にタイマー回路を装備せしめ、およそ３０秒〜１０分の間隔で爆音を発生させることを可能ならしめてある。
【００２１】
上述の追加基板が有する新たな機能としてはタイマー機能、ランダム信号発生機能、センサー機能がある。
【００２２】
具体的には請求項３記載の考案においては追加基板に、メイン基板におけるタイマー回路が発振する信号の、増幅装置を装備せしめてある。これにより、例えば増幅装置の倍率を４０倍にすれば、メイン基板におけるタイマー回路が３０秒〜１０分間隔で信号を発振すれば、追加基板側は２０〜４００分間隔で信号を発信することになる。つまりは２０〜４００分間隔で爆音を発生させることが可能となる。これによりタイマーの設定次第で夜明け前あるいは日没後であっても本考案に係る爆音機は作動可能となり、例えば夜明け前から活動を始める鳥獣に対しても威嚇作用を及ぼすことが可能となるのである。あるいは爆音の発生間隔を従来品よりも長く設定でき、近隣住民への配慮も可能となる。
【００２３】
請求項４記載の考案においては追加基板に擬似ランダム信号発生回路を装備せしめた。この発生回路により発生させた擬似ランダム信号により、爆音を不規則的に発生させるのである。かようにして本考案によれば、規則的に爆音を発生させる場合に生じがちな音慣れを可及的に防止できるのである。
【００２４】
請求項５記載の考案は追加基板によりセンサー機能を付加することが可能なものである。係るセンサー機能により有害鳥獣の農耕地等への侵入を検知したとき時のみに、爆音を発生させることが可能となる。かようにして鳥獣の音慣れを防ぐことが可能となり、効果的に鳥獣に威嚇を与えることが可能となるのである。
【考案を実施するための最良の形態】
【００２５】
以下、好ましい考案の一実施形態につき図面を参照しながら概説する。
【００２６】
図１は本考案の全体構成図であり、図２はメイン基板の回路図であり、図３及び図４は追加基板の回路図である。
【００２７】
図１に示すように、本考案は爆発筒１と、可燃ガス供給体２と、爆発筒１に可燃ガスと空気の混合ガスを注入するガス混合管５と、混合ガスに着火可能な点火プラグ４と、可燃ガス供給体２に連結されるガス圧力調整器７と、ガス圧力調整器７に連結された電磁弁（不図示）と、爆発を制御するコントローラ６と、ガス圧力調整器７とガス混合管５を連結する燃料ガス供給パイプ３と、コントローラ６と点火プラグ４を連結する導線９とから構成される。具体的な爆音発生過程は次の通りである。
【００２８】
すなわち、ガスボンベ或いはカセットタイプの小型ガスボンベ等であるガス可燃ガス供給体２よりゴム管で形成される燃料ガス供給パイプ３を通じて爆発室８と連通した混合管５に可燃ガスを注入する。そのうえで爆発室８及び混合管５内に滞留している可燃ガスに、点火プラグ４により点火し爆発を引き起こす。ここに混合管５は可燃ガスと空気を混合し爆発室８に注入する役目を果たすものであり、爆発室８の側面等に設けられるものである。可燃ガス供給体２の放出口には電磁弁等よりなるガス圧力調整器７が設置されており、該ガス圧力調整器７の開閉動作により燃料ガス供給パイプ３で接続された混合管５に可燃ガスを注入している。このガス圧力調整器７の開閉を制御すると共に、その開閉タイミングに合わせて点火プラグ４に導線９を通じて高電圧パルスを送電する役目を果たすのが電子コントローラ６である。
【００２９】
コントローラ６のメイン基板は図２に示す如く構成されており、１０はフォトＩＣ、１１はタイマー回路、１２は外部入力コネクタ、１３はメイン基板と追加基板との動作切替を行う切り替えスイッチである。
【００３０】
フォトＩＣ１０は受光素子（光センサー）であり、夜明けから日没まで爆音機を自動的に作動させる機能を有する。タイマー回路１１はアナログ回路で構成されており、具体的には抵抗とキャパシタを用いたＣＲ時定数遅延回路（ＣＲタイマー）である。１１ａは可変抵抗器であり爆発間隔を設定するためのものである。外部入力コネクタ１２は追加基板の接続を行うためのものであり、切り替えスイッチ１３によりメイン基板と追加基板との動作切替を行う。図２は追加基板の回路が動作可能な側にスイッチが入った態様を示している。
【００３１】
図３は追加基板に装備される回路であり、メイン基板におけるタイマー回路が発振するパルスを増幅するための倍率回路１４を示している。外部入力コネクタ１２より入力された信号は、約４０倍の固定倍率に設定された当該倍率回路１４により増幅されるものである。
【００３２】
図４は追加基板に装備されるランダム信号発生回路を示している。マルチバイブレーター１５，１６はそれぞれ異なった周波数でパルスを発生させ、ＩＣ１７により定倍率でＱ１〜Ｑ１２に出力される。これにより４パターンのパルスの出力が行われ、その繰り返しによる重なり等が擬似ランダム的なパルスの発生となるのである。
【００３３】
また、コネクター式の赤外線センサーのＡ接点を、メイン基板の外部入力コネクタ１２における１ピン、２ピンに接続することにより、赤外線センサー機能を付与することが可能となる。
【図面の簡単な説明】
【００３４】
【図１】本考案の全体構成図。
【図２】メイン基板の回路図。
【図３】追加基板の回路図。
【図４】追加基板の回路図。
【符号の説明】
【００３５】
１１・・タイマー回路
１２・・外部入力コネクタ
【図１】
0003151117.tif 000003
【図２】
0003151117.tif 000004
【図３】
0003151117.tif 000005
【図４】
0003151117.tif 000006